(57)【特許請求の範囲】
【請求項１】
筒状の軸体を備えた筆記具であって、
前記軸体の外周表面には、複数の平滑部と、該平滑部よりも表面粗さが大きい複数の粗部とが形成され、該平滑部及び該粗部が交互に連続して配置されていると共に、前記粗部及び前記平滑部は、転写フィルムによる印刷を前記軸体に施すことにより形成されていることを特徴とする筆記具。
【請求項２】
前記粗部の算術平均粗さＲａと、前記平滑部の算術平均粗さＲａとの差が、０．５〜１８．０μｍになされていることを特徴とする請求項１に記載の筆記具。
【請求項３】
前記粗部の算術平均粗さＲａと、前記平滑部の算術平均粗さＲａとの差が、０．８〜５．０μｍになされていることを特徴とする請求項１に記載の筆記具。
【請求項４】
前記粗部及び前記平滑部は、所定方向に沿って交互に連続して形成され、且つそれぞれのピッチは、いずれも、０．２〜０．６ｍｍになされていることを特徴とする請求項１乃至請求項３のいずれかに記載の筆記具。
【請求項５】
前記軸体は、同軸線上に、外周表面に凹凸が形成された別の軸体が接合されていることを特徴とする請求項１乃至請求項４のいずれかに記載の筆記具。
【発明の詳細な説明】
【技術分野】
【０００１】
本発明は、筆記具に関し、例えば、滑りにくく把持感が得られると共に、埃や手垢等の汚れがつきにくい筆記具に関する。
【背景技術】
【０００２】
従来から、筆記具においては、把持された際の手と筆記具との間の滑りを防止するための種々の技術が提案されている。
例えば、特許文献１には、滑り止めの機能を備えた筆記具が開示されている。ここで、図７を参照しながら、特許文献１に記載の従来技術の筆記具について説明する。
なお、図７は、従来技術の筆記具を示した模式図であり、図７（ａ）は、従来技術の筆記具の外観を示した模式図であり、図７（ｂ）は、従来技術の筆記具のグリップ部の断面を示した模式図である。
【０００３】
図示するように、筆記具１００には、ユーザに把持されるグリップ部１０２が設けられ、当該グリップ部１０２の外周部に、一定幅を有する凸状の厚肉被膜部１０３が所定の間隔で複数形成されている。
このように筆記具１００は、グリップ部１０２に厚肉被膜部１０３を設け凹凸状になすことにより、ユーザがグリップ部１０２を把持した際の滑りを防止すると共に、ユーザに把持感を与えるようになっている。
【０００４】
また、例えば、特許文献２には、複数の凹溝が形成された筆記具用グリップにおいて、手指の指紋に形成された筋の間隔を考慮し、当該凹溝のピッチを定めることが提案されている。
そして、特許文献２に記載のグリップは、前記凹溝のピッチを手指の指紋の筋の間隔を考慮した大きさ寸法にすることにより、手から筆記具が滑ることを効果的に防止している。
【先行技術文献】
【特許文献】
【０００５】
【特許文献１】特開平８−７２４６３号公報
【特許文献２】特開２００４−４２３６４号公報
【発明の概要】
【発明が解決しようとする課題】
【０００６】
しかしながら、上述した従来技術は、以下に示す技術的課題を有している。
具体的には、上述した従来技術は、いずれも、グリップに凹凸を形成することにより、滑り止めの効果を得ているが、グリップの凹部に埃や手垢等の汚れが堆積し易いという技術的課題を有している。その結果、上述した従来技術のグリップを備えた筆記具は、長期にわたっての使用において衛生的ではなかった。
【０００７】
本発明は、上記技術的課題を解決するためになされたものであり、本発明の目的は、滑りにくく把持感が得られると共に、埃や手垢等の汚れがつきにくい筆記具を提供することにある。
【課題を解決するための手段】
【０００８】
上記課題を解決するためになされた本発明は、筒状の軸体を備えた筆記具であって、前記軸体の外周表面には、複数の平滑部と、該平滑部よりも表面粗さが大きい複数の粗部とが形成され、該平滑部及び該粗部が交互に連続して配置されていると共に、前記粗部及び前記平滑部は、転写フィルムによる印刷を前記軸体に施すことにより形成されていることを特徴としている。
ここで、前記軸体とは、筆記具のグリップ部分や胴部等をいう。
【０００９】
このように、本発明の筆記具は、軸体の外周表面に、平滑部と粗部とが交互に連続して形成されているため、段差が形成されていなくても（凹凸が形成されていなくても）、指で触った際に、ユーザにあたかも段差が形成されているような感触を与える（把持感（グリップ感）を与える）と共に、ユーザが把持した際の筆記具の滑りを防止することができる。
また、本発明は、前記段差が形成されていないため、上述した従来技術のような段差間に埃や汚れが堆積されるということがなく、汚れにくい軸体を備えた筆記具が提供される。
その結果、本発明の筆記具は、長期にわたって衛生的に使用することができる。
また、前記段差が形成されていないため、軸体に爪等が引っかかることがなく、軸体の表面が傷付くことが防止される。
特に、前記粗部及び前記平滑部は、前記軸体に、転写フィルムによる印刷を施すことにより形成されているため、例えば、金型を用いて粗部及び平滑部が形成された軸体を製造する場合に比べて、表面粗さの表現及び調整が容易であり、製造作業の手間及びコストが軽減される。
【００１０】
また、前記粗部の算術平均粗さＲａと、前記平滑部の算術平均粗さＲａとの差が、０．５〜１０．０μｍになされていることが望ましい。また、より望ましくは、前記粗部の算術平均粗さＲａと、前記平滑部の算術平均粗さＲａとの差が、０．８〜５．０μｍになされていることが好ましい。
上記のように、前記粗部及び前記平滑部の表面粗さ（算術平均粗さＲａ）をなすことにより、ユーザに対して、把持した際に明確な把持感（グリップ感）を感じさせることができる。
【００１１】
また、前記粗部及び前記平滑部は、所定方向に沿って交互に連続して形成され、且つそれぞれのピッチは、０．２〜０．６ｍｍになされていることが望ましい。
このように構成することにより、ユーザに対して、把持した際に程よい触感を与えることができる。
【００１３】
また、前記軸体は、同軸線上に、外周表面に凹凸が形成された別の軸体が接合されていることが望ましい。
上記のように構成することにより、１つの筆記具において、ユーザが把持する部位により、ユーザに異なる感触を与えることができ、バリエーションのある軸体を提供することができる。
【発明の効果】
【００１４】
本発明によれば、滑りにくく把持感が得られると共に、埃や手垢等の汚れがつきにくい筆記具を提供することができる。
【図面の簡単な説明】
【００１５】
【図１】本発明の実施形態の筆記具の外観を示した模式図である。
【図２】図１に示した筆記具の軸体の一部を拡大して示した模式図である。
【図３】本発明の実施形態の筆記具の軸体に形成された平滑部及び粗部を説明するための模式図である。
【図４】本発明の実施形態の筆記具の軸体の変形例を示した模式図である。
【図５】本発明の実施形態の筆記具の軸体の変形例を示した模式図である。
【図６】本発明の実施形態の筆記具の軸体の変形例を示した模式図である。
【図７】従来技術の筆記具を示した模式図である。
【発明を実施するための形態】
【００１６】
以下、本発明の実施形態の筆記具について図面に基づいて説明する。
先ず、本発明の実施形態の筆記具の概略構成について図１を用いて説明する。
図１は、本発明の実施形態の筆記具の外観を示した模式図である。
なお、以下の説明では、筆記具Ｗとしてノック式のボールペンを示すが、あくまでもこれは一例である。本実施形態は、キャップ式筆記具、シャープペンシル、化粧液塗布具等の手にとって筆記する筆記具であればどのようなものにも適用することができる。
【００１７】
図示するように、筆記具Ｗは、両端が貫通している中空円筒状の軸体１と、軸体１の先端部に形成されたクチプラ部２と、軸体１の後端部に装着された止めリング３と、軸体１の筒内に収納されているボールペン機構（リフィール、スプリング等により形成されたボールペン機構（図示せず））とを備えている。また、止めリング３には、キャップ状のノック受け部４が装着されている。
なお、軸体１及びクチプラ部２は、一体の部品として形成されていてもよいし、別体の部品として形成され、軸体１の先端部に、クチプラ２が着脱自在に装着できるようになされていてもよい。
【００１８】
そして、筆記具Ｗは、ノック受け部４がユーザからのノック操作を受けることにより、クチプラ部２からボールペンのペン先（図示せず）を出し入れできるようなっている。
なお、本実施形態の筆記具Ｗは、軸体１の構造に特徴があり、軸体１以外については既存の技術のものを用いることができる。そのため、以下では、軸体１の構造を詳細に説明し、軸体１以外の構成の説明は省略する。
【００１９】
つぎに、軸体１の全体の構造について、上述した図１と、図２及び図３とを用いて説明する。
なお、図２は、図１に示した筆記具の軸体の一部を拡大して示した模式図である。また、図３は、本発明の実施形態の筆記具の軸体に形成された平滑部及び粗部を説明するための模式図である。
【００２０】
図１及び図２に示すように、中空円筒状に形成された軸体１は、その後端側（図中では上側）に形成された胴部（後軸部）１０と、胴部１０の一端部（先端部）に接続されたグリップ部２０とを備えている。
また、胴部１０は、その外周表面に、表面粗さが異なる平滑部１１及び粗部１２が交互に連続して形成されている（図２、図３参照）。
また、グリップ部２０は、その外周表面に、外周方向に沿った環状溝部２０ａが複数形成され（図１参照）、こにより、外周表面が凹凸形状になっている。
なお、軸体１は、ＰＣ、ＡＢＳ、ＰＳ等の樹脂材料により形成されるが、特にこれに限定されるものではなく、例えば、金属等で形成されていてもかまわない。
【００２１】
このように、本実施形態では、胴部１０の外周表面に、表面粗さが異なる平滑部１１及び粗部１２が交互に連続して形成されているため、段差（凹凸）が形成されていなくても、指で触った際に、ユーザにあたかも段差が形成されているような感触を与え、把持した際の筆記具Ｗの滑りが防止されると共に、ユーザに把持感（グリップ感）を与えることができる。
また、本実施形態の胴部１０は、段差が形成されていないため、上述した従来技術のような段差間に埃や汚れが堆積されることがない。
【００２２】
また、軸体１は、外周表面に凹凸が形成されていない胴部１０と、外周表面に凹凸が形成されているグリップ部２０とによりされているため、１つの筆記具Ｗにおいて、ユーザが把持する部位により、ユーザに異なる感触を与えることができる。すなわち、本実施形態によれば、バリエーションのある軸体１を提供することができる。
【００２３】
次に、軸体１を構成する胴部１０について詳細に説明する。
具体的には、胴部１０は、その外周表面に、複数の環状の平滑部１１と、平滑部１１よりも表面粗さが大きい複数の環状の粗部１２とが形成されている。また、平滑部１１及び粗部１２は、軸体１の外周方向に沿って形成され、且つ軸体１の軸心方向（Ｙ方向）に交互に連続して配置されている。
【００２４】
また、平滑部１１の幅寸法ａ及び粗部１２の幅寸法ｂは、いずれも、０．１〜０．３ｍｍが好ましく、より望ましくは０．１４〜０．２４ｍｍであることが好ましい（図３参照）。
また、平滑部１１のピッチｃ（２つの隣接する平滑部１１の中心間距離）は、０．２〜０．６ｍｍが好ましく、より望ましくは０．２８〜０．５ｍｍであることが好ましい（図３参照）。
なお、平滑部１１の幅寸法ａ及び粗部１２の幅寸法ｂは、上記の長さ範囲であれば、異なる値の組合せでもよい（例えば、平滑部１１の幅寸法ａが０．１４ｍｍになされ、粗部１２の幅寸法ｂが０．２ｍｍになされていてもよい）。
また、図中では、平滑部１１のピッチｃだけを示しているが、粗部１２のピッチ（図示せず）についても、平滑部１１と同様、０．２〜０．６ｍｍが好ましく、望むべくは０．２８〜０．５ｍｍである。
【００２５】
上記のように胴部１０を構成したのは、本願出願人により出願された上記特許文献２と同様の考えに基づいたものであり、本願発明者が、人間の手指の指紋に形成された筋を考慮して上記の幅寸法ａ、ｂやピッチｃを定めることにより、人間の手指と筆記具Ｗとの間に生じる滑りを効果的に防止できると共に、ユーザに快適なグリップ感を与えることができることを見出したためである。
【００２６】
具体的には、人間の手指の指紋には、盛り上がった筋がほぼ等間隔に走っており、この筋により、把持する際に手指と被把持物との間で摩擦抵抗を高め、被把持物をつかみやすくしている。
なお、複数の人間の手指の筋の寸法を計測すると、筋の幅が平均で約０．２ｍｍ、筋のピッチ（筋が設けられている間隔）は約０．３５ｍｍであった。
【００２７】
そして、上記計測した手指の筋の大きさ寸法を考慮し、軸体１の「幅寸法ａ、ｂ」及び「ピッチｃ」に関する研究を重ねた結果、平滑部１１の幅寸法ａ及び粗部１２の幅寸法ｂが、０．１〜０．３ｍｍの範囲になされていると滑りにくくなり、さらに、上記の幅寸法ａ、ｂが、０．１４〜０．２４ｍｍの範囲になされていると程よい触感が得られることが判明した。
【００２８】
なお、上記研究の結果、「幅寸法ａ、ｂ」が０．１ｍｍ未満になされると滑りやすくなることがわかったが、これは、上記の「幅寸法ａ、ｂ」が０．１ｍｍ未満になされると手指の指紋の筋が平滑部１１及び粗部１２の間から外れるためと考えられる。
また、上記研究の結果、「幅寸法ａ、ｂ」が０．３ｍｍを超えた場合に滑りやすくなることがわかったが、これは、上記の「幅寸法ａ、ｂ」が０．３ｍｍを超えると、平滑部１１及び粗部１２に指紋の筋が入るものの、平滑部１１及び粗部１２の幅が指紋の筋に比べ広いために、平滑部１１及び粗部１２の間に入った指紋の筋が動く（ぐらつく）ためであると考えられる。
【００２９】
また、上記研究の結果、上記の「ピッチｃ」が０．２ｍｍ〜０．６ｍｍの範囲になされていると滑りにくくなり、さらに、上記の「ピッチｃ」が０．２８〜０．５ｍｍの範囲になされていると程よい触感が得られることが判明した。
なお、上記の「ピッチｃ」を０．２ｍｍ未満にすると、平滑部１１及び粗部１２の数が多くなり過ぎるため、生産コストの点から好ましくないことがわかった。
【００３０】
また、軸体１の平滑部１１における算出平均粗さＲａは、０．２〜６．３μｍ（図面の仕上記号▽▽▽▽〜▽▽に相当）が好ましく、より望ましくは０．４〜１．６μｍ（図面の仕上記号▽▽▽の範囲に相当）であることが好ましい。また、軸体１の粗部１２における算出平均粗さＲａは、０．４〜２５．０μｍ（図面の仕上記号▽▽▽〜▽に相当）が好ましく、より望ましくは１．６〜６．３μｍ（図面の仕上記号▽▽の範囲に相当）であることが好ましい。
また、粗部１２の算術平均粗さＲａと、平滑部１１の算術平均粗さＲａとの差が、０．５〜１８．０μｍになされていることが好ましく、より望ましくは０．８〜５．０μｍであることが好ましい。
このように、平滑部１１及び粗部１２の表面粗さをなすことにより、把持した際に明確な把持感（グリップ感）を感じさせることができる。
【００３１】
また、本実施形態では、軸体１の胴部１０に平滑部１１及び粗部１２を形成する方法について特に限定されるものではない。
胴部１０に平滑部１１及び粗部１２を形成する方法は、例えば、成形金型へのシボ加工（エッチング）や放電加工、切削によるローレット加工であると表面粗さの大きさの調整が容易である。また、印刷インク付着による薄膜のスクリーン印刷や軸体１の胴部１０に、転写フィルムによる印刷を施すことにより形成することもできる。前記転写フィルムによる印刷による表現方法は、例えば、黒色、赤色等の粒子の小さい一般顔料で平滑部１１を表現し、パール顔料やアルミ顔料等の粗大粒子を有する顔料粉末で粗部１２を表現することで、金型を用いて平滑部１１及び粗部１２が形成された軸体を製造する場合に比べて、表面粗さの間隔の表現を容易にすることができる。
【００３２】
このように、本実施形態によれば、滑りにくく把持感が得られると共に、埃や手垢等の汚れがつきにくい筆記具Ｗを提供することができる。
なお、本発明は、上述した実施形態の限定されるものではなく、その要旨の範囲内において種々の変形が可能である。
【００３３】
例えば、上述した実施形態では、図２に示すように、軸体１の胴部１０の外周表面に、平滑部１１及び粗部１２が、軸体１の外周方向に形成され、且つ軸心方向（Ｙ方向）に交互に連続して配置されているが、あくまでもこれは一例に過ぎない。軸体１の外周表面に、平滑部１１及び粗部１２が交互に連続して形成されていればよい。
例えば、図４に示すように、軸体１の胴部１０の外周表面に、平滑部１１及び粗部１２が、軸体１の軸心方向（Ｙ方向）に対して所定角度で傾斜して形成されていてもかまわない（この場合も、平滑部１１及び粗部１２は、交互に連続して配置されている）。
また、例えば、軸体１の胴部１０の外周表面において、平滑部１１及び粗部１２が格子状（図５）に形成されていてもかまわない。
また、例えば、軸体１の胴部１０の外周表面に、平滑部１１及び粗部１２が交互に連続して形成され、且つ平滑部１１及び粗部１２が、ドット状（図６）や波形状（図示せず）になされていてもかまわない。
【００３４】
また、上述した実施形態の軸体１は、外周表面に凹凸が形成されていない胴部１０と、外周表面に凹凸が形成されているグリップ部２０とを備えているが、特にこれに限定されるものではない。
例えば、軸体１の外周表面の全体にわたって、凹凸形状を設けずに、胴部１０と同様の平滑部１１及び粗部１２を形成するようにしてもよい（すなわち、グリップ部２０の外周表面に、胴部と同様、表面粗さが異なる平滑部１１及び粗部１２が交互に連続して形成されていてもよい）。
【実施例】
【００３５】
続いて、本発明の実施形態の筆記具Ｗを構成する軸体１の胴部１０について、以下に示す実施例１、２に基づいて検証する。
以下の実施例において、表面粗さ（算術平均粗さＲａ）の測定は、レーザ顕微鏡（株式会社キーエンス製  ＶＫ−８５００）を用いて、平滑化条件設定（フィルタサイズ３×３、フィルタタイプ単純平均、実行回数１回）、レンズ倍率１０倍、カラー超深度モード、その他の設定は標準仕様に準ずるによる表面粗さ測定により行い、軸体１表面の測定レンズの頂部付近１ヶ所の０．０５ｍｍ四方をピッチ０．０００５ｍｍ間隔で測定した。また、以下において、算出された算術平均粗さＲａの端数は、測定箇所によるバラツキとサンプルのバラツキにより、小数点２桁目を四捨五入した。なお、軸体に対する評価方法は、本願発明者による官能評価（官能検査）である。
【００３６】
［実施例１］
軸径が１０．８ｍｍの軸体（ポリカーボネート製）に、異なる表面粗さを組み合わせるように成形金型の表面をシボ加工し、上述した図２に示すように、外周表面に平滑部１１及び粗部１２が交互に連続して形成された前記実施形態の軸体１を作成し、評価を行った。
具体的には、平滑部１１の幅寸法ａ及び粗部１２の幅寸法ｂを「０．２ｍｍ」、ピッチｃを「０．４ｍｍ」に固定した軸体１において、平滑部１１の算術平均粗さＲａと、粗部１２の算出平均粗さＲａとが下記表１の値となる軸体１を作成し、発明者による官能評価を行った。
そして、前記官能評価による評価結果を下記表１に示す。
なお、下記表１において、「◎」は「程よい感触が得られた」こと、すなわち「段差が形成されているような感触を明確に感じ把持感が得られ、且つ把持した際の滑りが防止されている」こと示している。
また、「○」は「実用域として問題ない感触が得られた」こと、すなわち「段差が形成されているような感触を感じ、且つ把持した際の滑りが防止されていると感じた」こと示している。
また、「×」は「段差を感じなかったが、把持した際の滑りが防止されていると感じた
」ことを示している。
また、表１中において、粗部１２の算術平均粗さＲａと、平滑部１１の算術平均粗さＲａとの差を括弧書で示した。
【００３７】
【表１】
0005416551.tif 000002
【００３８】
上記表１から、「○」以上の評価が得られた軸体１の平滑部１１の算術平均粗さＲａと、粗部１２の算術平均粗さＲａとの組合せを見てみると、粗部１２の算術平均粗さＲａと、平滑部１１の算術平均粗さＲａとの差が、「０．５〜１８．０μｍ」であった。
また、「◎」の評価が得られた軸体１の平滑部１１の算術平均粗さＲａと、粗部１２の算術平均粗さＲａとの組合せを見てみると、粗部１２の算術平均粗さＲａと、平滑部１１の算術平均粗さＲａとの差が「０．８〜５．０μｍ」であった。
これにより、粗部１２の算術平均粗さＲａと、平滑部１１の算術平均粗さＲａとの差が、０．５〜１８．０μｍになされていることが好ましく、より望ましくは０．８〜５．０μｍであることが好ましいことが確認された。
【００３９】
［実施例２］
軸径が１０．８ｍｍの軸体（ポリカーボネート製）に、異なる表面粗さを組み合わせた転写フィルムを巻き付け転写し、上述した図２に示すように、外周表面に平滑部１１及び粗部１２が交互に連続して形成された前記実施形態の軸体１を作成し、評価を行った。
具体的には、粗部１２の表面粗さ（算出平均粗さＲａ）を２．０μｍ、平滑部１１の表面粗さ（算出平均粗さＲａ）を１．０μｍとし、平滑部１１の幅寸法ａ及び粗部１２の幅寸法ｂが下記表２及び表３の値となる軸体１を作成し、発明者による官能評価を行った。
そして、前記官能評価による評価結果を下記表２及び表３に示す。
なお、下記表２及び表３において、「◎」は「明確なグリップ感が感じられ、且つ把持した際の滑りが防止されていると感じた」ことを示している。また、○は「意識すればグリップ感を感じられ、且つ把持した際の滑りが防止されていると感じた」ことを示している。また、「×」は「段差を感じなかったが、把持した際の滑りが防止されていると感じた」ことを示している。
【００４０】
【表２】
0005416551.tif 000003
【００４１】
【表３】
0005416551.tif 000004
【００４２】
上記表２及び表３より、平滑部１１の幅寸法ａ及び粗部１２の幅寸法ｂの両者が「０．１〜０．３ｍｍ」の範囲にある軸体１は、いずれも「○」以上の評価が得られた。また、平滑部１１の幅寸法ａ及び粗部１２の幅寸法ｂの両者が「０．１４〜０．２４ｍｍ」の範囲にある軸体１は、いずれも「◎」の評価が得られた。
これにより、平滑部１１の幅寸法ａ及び粗部１２の幅寸法ｂは、いずれも、０．１〜０．３ｍｍが好ましく、より望ましくは０．１４〜０．２４ｍｍであることが好ましいことが確認された。
【００４３】
また、上記の結果（表２及び表３）より、平滑部１１のピッチｃ（ｃ＝ａ＋ｂ（図３参照））を見てみると、上記ピッチｃが「０．２〜０．６ｍｍ」の範囲にある軸体１は、いずれも「○」以上の評価が得られた。また、上記ピッチｃが「０．２８〜０．５ｍｍ」の範囲にある軸体１は、いずれもいずれも「◎」の評価が得られた。
これにより、平滑部１１のピッチｃ（２つの隣接する平滑部１１の中心間距離）は、０．２〜０．６ｍｍが好ましく、より望ましくは０．２８〜０．５ｍｍであることが好ましいことが確認された。なお、粗部１２のピッチは、平滑部１１のピッチｃと同様である。
【符号の説明】
【００４４】
Ｗ      筆記具
１      軸体
１０    胴部（軸体）
１１    平滑部（胴部（軸体））
１２    粗部（胴部（軸体））
２０    グリップ部（軸体）
２０ａ  環状溝部（グリップ部（軸体））
２      クチプラ部
３      止めリング
４      ノック受け部
【図１】
0005416551.tif 000005
【図２】
0005416551.tif 000006
【図３】
0005416551.tif 000007
【図４】
0005416551.tif 000008
【図５】
0005416551.tif 000009
【図６】
0005416551.tif 000010
【図７】
0005416551.tif 000011